(57)【要約】【課題】雑草を切断することなく確実に掴むとともに楽に引き抜くことのできる雑草引抜き具が望まれている。【解決手段】雑草引抜き具１は、後部にグリップ部３を有する器具本体２と、グリップ部３前方位置の器具本体２に垂設された固定側挟み板５と、器具本体２に枢支軸９を介して前後揺動自在に枢支された揺動アーム６とを備えて成り、揺動アーム６の前部に、固定側挟み板５の前方位置で前後揺動して固定側挟み板５との間で雑草などを挟持する揺動側挟み板７が設けられ、揺動アーム６の後部に、器具本体２のグリップ部３に対し近接・離間するレバー部８が形成され、揺動側挟み板７が固定側挟み板５の受け面上に当接するように配置されているものである。【選択図】図２
2011217687.tif 000002
【特許請求の範囲】
【請求項１】
後部にグリップ部を有する器具本体と、グリップ部前方位置の器具本体に垂設された固定側挟み板と、器具本体に前後揺動自在に枢支された揺動アームとを備えて成り、揺動アームの前部に、固定側挟み板の前方位置で前後揺動して固定側挟み板との間で雑草などを挟持する揺動側挟み板が設けられ、揺動アームの後部に、器具本体のグリップ部に対し近接・離間するレバー部が形成され、揺動側挟み板が固定側挟み板上に当接するように配置されていることを特徴とする雑草引抜き具。
【請求項２】
固定側挟み板上に当接する揺動側挟み板の当り面の前後幅が、０．３ｍｍ以上１．５ｍｍ以下に設定されている請求項１に記載の雑草引抜き具。
【請求項３】
揺動側挟み板および固定側挟み板が、器具本体または揺動アームよりも右方向および／または左方向に突出して形成されている請求項１または請求項２に記載の雑草引抜き具。
【発明の詳細な説明】
【技術分野】
【０００１】
本発明は、雑草などを引き抜く際に使用される雑草引抜き具に関する。
【背景技術】
【０００２】
従来、この種の雑草引抜き具としては、先端に二股爪ないし三股爪を有し末端側にグリップ部を有し股爪とグリップ部との間に支点部を有するテコ式の器具が、例えば特許文献１に記載されている。
また、地中差込板部の側辺に複数の鋸歯状刃が列設された雑草引抜き具が、例えば特許文献２に記載されている。
そして、一対の挟み板で雑草を左右から挟む横挟み式の雑草引抜き具が、例えば特許文献３に記載されている。
更に、上端部にグリップ部およびレバー部を有する長尺の器具本体の先端部に、雑草を挟んで抜き取る前後一対のクチバシ状の挟み板が設けられ、レバー部と前側の挟み板とが連結部材で連結されている前後挟み式の雑草引抜き具が、例えば特許文献４に記載されている。この雑草引抜き具は、雑草前後の地面に一対の挟み板を差し込んだのち、レバー部を握ることにより前側の挟み板を後側の挟み板に近づけて雑草を挟むようになっている。
【先行技術文献】
【特許文献】
【０００３】
【特許文献１】実公昭１０−８８４４号公報
【特許文献２】実開昭５９−１９１１０１号公報
【特許文献３】登録実用新案第３１３７８０５号公報
【特許文献４】特開２００９−８９７０４号公報
【発明の概要】
【発明が解決しようとする課題】
【０００４】
特許文献１記載のテコ式の雑草引抜き具は、三股爪を土の中に差し入れなければならないので、雑草が芝内に生えていると、芝が邪魔をして雑草のみを取り除くことが難しい。また、三股爪を差し入れたのちにテコの原理を利用して雑草を引き抜くが、その際には比較的力が必要となるため、長時間の草抜き作業がつらいものとなっていた。
特許文献２記載の鋸歯状刃式の雑草引抜き具は、雑草のみならず、その周囲の有用な草花や芝の根や茎も鋸歯状刃で切断してしまうため、この器具を使用した後は有用な草花や芝までも枯れてしまうことが多い。
一方、特許文献３記載の横挟み式の雑草引抜き具は、グリップ部に対しレバー部を左右横方向に揺動させなければならないため、手甲を水平にした姿勢でグリップ部およびレバー部を握らなければならない。そして、挟み板で雑草を掴んだのちは、手甲を水平にして握ったまま雑草引抜き具全体を持ち上げなければならないため非常に持ち上げにくく、不必要な力も要ることから草取り作業が大変苦になっていた。
また、特許文献４記載の前後挟み式の雑草引抜き具は、立ったまま手を汚すことなく草取りができる点で好ましいものである。しかしながら、レバー部と挟み板とが大きく離れていることから、力を確実に伝達しにくいことと雑草をこまめに除去しにくいという不具合があり、更には一対の挟み板を地面に差し込まなければならないことから、挟む力が地中に分散されて雑草を強く挟めないという不具合もある。
【０００５】
本発明は、上記した従来の問題点に鑑みてなされたものであって、雑草を切断することなく確実に掴むとともに楽に引き抜くことのできる雑草引抜き具の提供を目的とする。
【課題を解決するための手段】
【０００６】
上記目的を達成するために、本発明に係る雑草引抜き具は、後部にグリップ部を有する器具本体と、グリップ部前方位置の器具本体に垂設された固定側挟み板と、器具本体に前後揺動自在に枢支された揺動アームとを備えて成り、揺動アームの前部に、固定側挟み板の前方位置で前後揺動して固定側挟み板との間で雑草などを挟持する揺動側挟み板が設けられ、揺動アームの後部に、器具本体のグリップ部に対し近接・離間するレバー部が形成され、揺動側挟み板が固定側挟み板上に当接するように配置されていることを特徴とするものである。
【０００７】
また、前記構成において、固定側挟み板上に当接する揺動側挟み板の当り面の前後幅が、０．３ｍｍ以上１．５ｍｍ以下に設定されているものである。
【０００８】
そして、前記した各構成において、揺動側挟み板および固定側挟み板が、器具本体または揺動アームよりも右方向および／または左方向に突出して形成されているものである。
【発明の効果】
【０００９】
本発明に係る雑草引抜き具によれば、固定側挟み板の前方で前後揺動する揺動側挟み板が、固定側挟み板上に当接するように配置されているので、揺動側挟み板により雑草は固定側挟み板上に押し付けられる。その際に、雑草は固定側挟み板上で押し潰されることがあっても切断まではされず確実に挟持される。そこで、その挟持状態のまま雑草引抜き具全体を持ち上げることにより、雑草を地面から楽に引き抜くことができる。従って、雑草の根や茎を切ることなく根こそぎ取ることができ、手も汚れにくい。
【００１０】
また、固定側挟み板上に当接する揺動側挟み板の当り面の前後幅が、０．３ｍｍ以上１．５ｍｍ以下に設定されているものでは、小石や砂利などを挟むことがない。一方で、雑草を切断することなく挟持することができる。因みに、揺動側挟み板の当り面の前後幅が０．３ｍｍ未満の場合は、固定側挟み板と揺動側挟み板との間で雑草を切断しやすくなる。当り面の前後幅が１．５ｍｍを超える場合は、固定側挟み板と揺動側挟み板との間で小石や砂利を挟んでしまい、両挟み板間に隙間が生じることから、雑草をしっかりと挟持できず地面から引き抜けないという不具合を生じる。
【００１１】
そして、揺動側挟み板および固定側挟み板が、器具本体または揺動アームよりも右方向および／または左方向に突出して形成されているものでは、背丈のある雑草を揺動側挟み板および固定側挟み板の突出部分で挟むと、器具本体または揺動アームが雑草と接触干渉しない。従って、器具本体を左右方向に傾けて使用しなくて済む。その結果、力の入れやすい握手式の握り姿勢を崩さなくてよいから、小さな雑草から大きな雑草までしっかりと挟持することができ、またその握り姿勢のまま軽力で引き抜くことができる。
【図面の簡単な説明】
【００１２】
【図１】本発明の一実施形態に係る雑草引抜き具の側面図である。
【図２】前記雑草引抜き具の側断面図である。
【図３】前記雑草引抜き具の正面図である。
【図４】前記雑草引抜き具の分解部品図である。
【図５】前記雑草引抜き具の垂下部材を示し、（ａ）は斜視図、（ｂ）は正面図である。
【図６】前記雑草引抜き具の揺動側挟み板と固定側挟み板との当接状態を示す部分拡大側面図である。
【図７】前記雑草引抜き具により雑草を挟んだ状態を示す斜視図である。
【図８】前記雑草引抜き具の揺動側挟み板と固定側挟み板により雑草を挟んだ状態を側面から見た説明図である。
【図９】前記雑草引抜き具の揺動側挟み板と固定側挟み板により雑草を挟んだ状態のまま持ち上げる状態を側面から見た説明図である。
【図１０】（ａ）は揺動側挟み板と固定側挟み板の別の実施形態を示す部分拡大側面図、（ｂ）は揺動側挟み板と固定側挟み板の比較例を示す部分拡大側面図である。
【発明を実施するための形態】
【００１３】
本発明の実施形態を図面に基づいて説明する。尚、以下に述べる実施形態は本発明を具体化した一例に過ぎず、本発明の技術的範囲を限定するものでない。図１は本発明の一実施形態に係る雑草引抜き具の側面図、図２は前記雑草引抜き具の側断面図、図３は前記雑草引抜き具の正面図、図４は前記雑草引抜き具の分解部品図である。
各図において、この実施形態に係る雑草引抜き具１は、後部にグリップ部３を有する器具本体２と、グリップ部３前方の器具本体２に垂下して取り付けられる垂下部材４と、垂下部材４の下端部に取り付けられる固定側挟み板５と、器具本体２に前後揺動自在に枢支される揺動アーム６と、揺動アーム６の前部に取り付けられる揺動側挟み板７とから、主として構成されている。揺動アーム６の後部は、器具本体２のグリップ部３に対し近接・離間するレバー部８が形成されている。
【００１４】
上記の器具本体２は、平面視で見て左右に細い長尺形状に形成されており、その内部には揺動アーム６を揺動可能に収容する収容空間１１が設けられている。収容空間１１は前後に長く形成されていて下面が開口している。器具本体２の左右側面で前後中央部よりもやや前側の位置には、垂下部材４の二股部１８を取り付けるための装着溝４０，４０が形成されている。これら左右の装着溝４０，４０にはそれぞれ、枢支軸９が通される軸受穴１５と、枢支軸１０が通される軸受穴１６とが形成されている。そして、収容空間１１内において装着溝４０の前後位置に、器具本体２の剛性を高める補強リブ１２，１３が器具本体２の内壁と一体に形成されている。後側の補強リブ１３は、後述するコイルバネ３１の一端側の途中部分を支持してバネ弾性を一定以上に保持するものであり持補強リブ１２よりも上下寸法が短くされている。補強リブ１３の直後位置における収容空間１１の天井面には、コイルバネ３１の一端部を掛止する掛止溝１４が形成されている。
【００１５】
上記の揺動アーム６はその左右幅が器具本体２の収容空間１１よりも狭く形成された板状の部材であり、収容空間１１内の所定位置に収容されたとき軸受穴１５と対面する位置に、軸受穴２９が形成されている。軸受穴２９周囲の上面および下面は、それぞれ、軸受穴２９の穴心を曲率中心とする曲面として形成されている。軸受穴２９よりも前側の揺動アーム６は下向きに湾曲して形成され、その先端部分は左右方向に広がったホルダ部２７となっている。ホルダ部２７の先端面には、揺動側挟み板７を収容して保持するための装着溝２８が形成されている。装着溝２８に装着された揺動側挟み板７はホルダ部２７の２つのネジ挿通穴（符号付け省略）を通した止めネジ３９，３９で保持固定される。一方、軸受穴２９よりも後側であって器具本体２のグリップ部３の下方に相当する位置の揺動アーム６には、前後に凹凸が連続する指掛け状のレバー部８が形成されている。軸受穴２９の後側の揺動アーム６の上面には、コイルバネ３１の他端部を掛止する掛止溝３０が形成されている。揺動アーム６の左右幅Ｗ３（図３参照）は器具本体２の左右幅Ｗ２よりも狭くなっており、揺動側挟み板７および固定側挟み板５の左右幅Ｗ１は器具本体２の左右幅Ｗ２よりも広く設定されている。これにより、揺動側挟み板７および固定側挟み板５はいずれも、器具本体２から右方向および左方向に突出している。
【００１６】
上記の垂下部材４は、図５に示すように、その下部が若干前向きに湾曲して形成され、その先端部分は左右方向に広がったホルダ部２２となっている。垂下部材４の湾曲部には、剛性を高めるための補強リブ２３が垂下部材４の前面と一体に形成されている。ホルダ部２２の先端面には、固定側挟み板５を収容して保持するための装着溝２４が形成されている。装着溝２４に装着された固定側挟み板５はホルダ部２２のネジ挿通穴３８，３８を通した止めネジ３９，３９で保持固定される。ホルダ部２２の左右幅は揺動アーム６のホルダ部２７の左右幅とほぼ同じ寸法に設定されている。
【００１７】
一方、垂下部材４の上部は、左右離間して立つ二股部１８，１８として形成されており、二股部１８，１８間は器具本体２を収容するための隙間部１７となっている。隙間部１７の底面上には受凸部２５が形成されている。受溝部２５は隙間部１７の左右幅よりも狭くされており、器具本体２の収容空間１１に嵌入できるようになっている。受凸部２５の上面には、揺動アーム６の軸受穴２９下方の曲面を摺動自在に受ける凹曲面が形成されている。そして、受溝部２５の左右両側に受溝部２６，２６が設けられている。これらの受溝部２６，２６に器具本体２の下面開口の両縁部が入り込むことにより、枢支軸９や枢支軸１０をナット２１，２１にネジ締めしたときに、器具本体２が押圧されて収容空間１１が狭くなり、揺動アーム６が動きにくくなるという不具合を回避することができる。また、左右の二股部１８，１８にはそれぞれ、枢支軸９が通される軸受穴１９と、枢支軸１０が通される軸受穴２０とが形成されている。そして、右側の二股部１８の内壁には、ナット２１，２１が軸受穴１９および軸受穴２０と同軸心配置で埋め込まれている。
【００１８】
そして、揺動側挟み板７は、図６に示すように、後向きに下る傾斜配置にされているが、その傾斜配置における上面と先端面（当り面３５）との間に傾斜面３４が形成されている。固定側挟み板５は、その上面と先端面３３との間に傾斜面（受け面３２）が形成されている。特に、この雑草引抜き具１において、揺動側挟み板７は、揺動した当り面３５が固定側挟み板５の受け面３２上に当接するように配置されている。揺動側挟み板７の当り面３５の前後幅Ａはこの例では０．５ｍｍに設定されている。そして、固定側挟み板５の先端と、固定側挟み板５の受け面３２上に当接したときの揺動側挟み板７の下面の先端とが成す前後幅Ｂは、この例では１．０ｍｍとなっている。固定側挟み板５の先端面３３の上下幅Ｃは、この例では０．５ｍｍとなっている。
【００１９】
上記した各部品を用いて、雑草引抜き具１を組み立てる一例を説明する。まず、器具本体２の収容空間１１内にコイルバネ３１を収容し、掛止溝１４内にコイルバネ３１の一端部を仮入れしておく。次に、揺動アーム６を器具本体２の下面開口から収容空間１１内に収容する。このとき、コイルバネ３１の他端部を揺動アーム６の掛止溝３０内に仮入れさせる。続いて、垂下部材４の二股部１８，１８を器具本体２の両側の装着溝４０，４０の所定位置に設置する。この組立て状態で、左側の二股部１８の軸受穴２０から枢支軸１０を挿入し、器具本体２の左側の軸受穴１６を通す。更に、コイルバネ３１のコイル内を通したのち、器具本体２の右側の軸受穴１６を通し、右側の二股部１８のナット２１（上側）で螺止する。一方、左側の二股部１８の軸受穴１９から枢支軸９を挿入し、器具本体２の左側の軸受穴１５を通す。更に、揺動アーム６の軸受穴２９を通したのち、器具本体２の右側の軸受穴１５を通し、右側の二股部１８のナット２１（下側）で螺止するのである。このようにいとも簡単に、雑草引抜き具１を組み上げることができる。
【００２０】
上記のように構成された雑草引抜き具１の作用を次に説明する。図７および図８に示すように、握手をするが如く手の甲を垂直にして、親指と人差指間の指股部を器具本体２のグリップ部３にあてがい、残り４本の指で揺動アーム６のレバー部８を軽く握る。このとき、揺動側挟み板７はコイルバネ３１のバネ弾性力により前方に開き固定側挟み板５から離れている。そこで、雑草３６の根元に固定側挟み板５を近づけて当接させ（図８の矢印Ｆ）、雑草３６を固定側挟み板５と揺動側挟み板７の間に入れる。次に、レバー部８を握ると、揺動アーム６が枢支軸９回りに揺動し（図８の矢印Ｒ）、揺動側挟み板７の当り面３５ないし傾斜面３４が雑草３６に当接する。
【００２１】
そこで、レバー部８を更に強く握ると、揺動側挟み板７により押された雑草３６が固定側挟み板５の当り面３２上ないし先端面３３上に押し付けられる。その際に、雑草３６は固定側挟み板５上で押し潰されることはあっても切断されることはない。そして、雑草３６は固定側挟み板５と揺動側挟み板７とにより強く挟持される。因みに、雑草引抜き具１を握る姿勢は手の甲を垂直方向に沿わせて握手姿勢（すなわち斧、ハンマー、ゴルフクラブなどを握る姿勢と同じ）であるから、握りやすいうえ非常に力が入りやすい。従って、無駄な力を使うことなくしっかりと雑草３６を把持することができる。この場合、揺動側挟み板７および固定側挟み板５は、器具本体２よりも左右両方向に突出して形成されているので、背丈のある雑草３６を前記の突出部分で挟むと、器具本体２が雑草３６と接触干渉しない。従って、雑草引き抜き具１全体を左右に傾けて使用しなくて済む。その結果、力を入れやすい握手式から握り姿勢を傾けなくてよいので、小さなものから大きなものに至る雑草３６挟持することができる。そして、揺動側挟み板７の当り面３５の前後幅Ａは０．５ｍｍに設定されているので、固定側挟み板５と揺動側挟み板７の間で小石や砂利などを挟むことがない。このことによっても、雑草３６をしっかりと挟持することができる。
【００２２】
続いて、前記のような握り姿勢で雑草引抜き具１を持ち上げようとすると（図８および図９の広幅矢印Ｕ）、持ち上げるための力点（レバー部８）が作用点（固定側挟み板５および揺動側挟み板７）よりも後側にあり、作用点の位置は雑草３６の存在により固定されているため、雑草引抜き具１に雑草３６の根元を中心とするモーメントが働く。これにより、固定側挟み板５および揺動側挟み板７は、図９に示すように、矢印Ｓのように回転する。その結果、揺動側挟み板７の当り面３５は、２点鎖線で示した図８の位置よりも下がりながら、固定側挟み板５の受け面３２に僅かながら近づく（矢印Ｒ）。その結果、固定側挟み板５および揺動側挟み板７は、より一層しっかりと雑草３６を掴むことができる。同時に、固定側挟み板５と揺動側挟み板７による雑草３６の挟持位置は、矢印Ｓ方向の回転に伴って互いに水平位置に近づくので、雑草３６を切断しにくくなる。
【００２３】
また、挟持した雑草３６を引き抜く動作も前記した握手姿勢のままであるから、引き抜き作業にも不必要な力が要らず、楽に雑草３６の引き抜き作業を行なうことができる。そして、この雑草引抜き具１によれば、狙った雑草３６を固定側挟み板５と揺動側挟み板７の間に入れて確実に抜き取れるので、周囲の有用な草花や芝を同時に抜き取ったりしないで済む。また、この雑草引抜き具１によれば、雑草３６のみならず虫や油ウエスなどもつかむこともでき、ほとんど手を汚さないで作業を行なうことができる。
尚、揺動側挟み板７の当り面３５や固定側挟み板５の受け面３２には、ギザギザなどの凹凸部は形成せず平たん面にしておくことが好ましい。このような凹凸部を形成すると、挟んだ雑草の茎や根を切断してしまうのでよくない。
【００２４】
ここで、固定側挟み板の受け面上に揺動側挟み板を当接させる構成ではあるが、前記雑草引抜き具１とは別実施形態の雑草引抜き具を図１０（ａ）に示す。
この雑草引抜き具によれば、側面視で先端が尖った固定側挟み板５Ａと、既述した揺動側挟み板７のような当り面３５を持たない揺動側挟み板７Ａとを用い、揺動側挟み板７Ａの尖った先端３７を固定側挟み板５Ａの受け面３２上に当接させるようになっている。このように揺動側挟み板７Ａの先端３７が尖っている場合でも、抜きやすい雑草３６に対しレバー部８を軽力で握る場合は、雑草３６が切れることはない。しかしながら、強固に根付いて抜きにくい雑草３６であると、レバー部８を強く握って雑草引抜き具を持ち上げなければならない。そのような場合は、器具持ち上げの際に雑草３６が揺動側挟み板７Ａの先端３７で切断されるおそれがある。
【００２５】
また、前記雑草引抜き具１と同様に、固定側挟み板５と揺動側挟み板７とを用いながら、固定側挟み板５に対する揺動側挟み板７の配置が異なる雑草引抜き具を比較例として図１０（ｂ）に示す。
すなわち、この雑草引抜き具では、揺動側挟み板７の当り面３５の上角部が固定側挟み板５の先端面３３の上角部と当接するように、揺動側挟み板７が配置されている。このような配置であると、たとえ軽力でレバー部８を握ったとしても、揺動側挟み板７と固定側挟み板５の双方の上角部が雑草３６に当って切断することとなり好ましくない。
【００２６】
尚、上記の実施形態では、固定側挟み板５および揺動側挟み板７の左右幅寸法および配置を器具本体２の左右両側から突出させるようにしたが、本発明では、固定側挟み板および揺動側挟み板を、器具本体または揺動アームの右方向または左方向のいずれか一方に突出させる幅寸法および配置としても構わない。
また、上記では器具本体２内に、器具本体２よりも左右幅の狭い揺動アーム６を前後揺動自在に収容するように構成するとともに、器具本体２の左右両側から固定側挟み板５および揺動側挟み板７を突出させるようにしたが、例えば揺動アームが器具本体よりも左右幅が広い場合、あるいは揺動アームが器具本体の左側面または右側面に配備されているような場合は、揺動アームの左側および／または右側から突出させるように、固定側挟み板および揺動側挟み板を形成することができる。
【符号の説明】
【００２７】
１  雑草引抜き具
２  器具本体
３  グリップ部
４  垂下部材
５，５Ａ  固定側挟み板
６  揺動アーム
７，７Ａ  揺動側挟み板
８  レバー部
９  枢支軸
２９  軸受穴
３２  受け面
３５  当り面
３６  雑草
Ａ  前後幅
Ｒ  矢印
Ｗ１  左右幅
Ｗ２  左右幅
【図１】
2011217687.tif 000003
【図２】
2011217687.tif 000004
【図３】
2011217687.tif 000005
【図４】
2011217687.tif 000006
【図５】
2011217687.tif 000007
【図６】
2011217687.tif 000008
【図７】
2011217687.tif 000009
【図８】
2011217687.tif 000010
【図９】
2011217687.tif 000011
【図１０】
2011217687.tif 000012